(57)【要約】【課題】磁気テープの終端から始端までの巻戻し時間の短縮を図る。【解決手段】回転ヘッドシリンダ５に磁気テープ１６を巻き付けた状態の第１の巻取モードと、巻き付けない状態の第２の巻取モードとの２つのメカニズムの動作モードを有し、第１または第２の巻取モードのいずれかの動作状態にメカニズムを移行させるモード移行手段８と、第１または第２の巻取モードのいずれかの状態で磁気テープ１６の早送りまたは巻戻しを行うキャプスタンモータ９と、磁気テープ１６の終端を検出する終端検出手段１３とを備え、モード移行手段８は、第１の巻取モードによる早送り動作の際に、終端検出手段１３からの終端検出に基づき、動作モードを第２の巻取モードに移行させた後に早送り動作を停止させる。よって、第２の巻取モードによる巻戻し動作では、第１の巻取モードから第２の巻取モードへのモード移行が不要になり、巻戻し時間を短縮できる。【選択図】　図２
2004014040.tif 000002
【特許請求の範囲】
【請求項１】
回転ヘッドシリンダに磁気テープを巻き付けた状態の第１の巻取モードと、磁気テープを巻き付けない状態の第２の巻取モードとの、２つのメカニズムの動作モードを有する磁気記録再生装置であって、
前記第１の巻取モードまたは前記第２の巻取モードのいずれかの動作状態にメカニズムを移行させるモード移行手段と、
前記第１の巻取モードまたは前記第２の巻取モードのいずれかの状態で前記磁気テープの早送りまたは巻戻しを行うテープ駆動手段と、
前記磁気テープの終端を検出する終端検出手段とを備え、
前記モード移行手段は、前記第１の巻取モードによる早送り動作の際に、前記終端検出手段からの終端検出に基づき、メカニズムの動作モードを第２の巻取モードに移行させた後に早送り動作を停止させる磁気記録再生装置。
【請求項２】
前記第２の巻取モードでの停止状態からの前記第１の巻取モードによる巻戻し動作の際に、前記モード移行手段により第１の巻取モードに移行させ、前記テープ駆動手段で終端まで早送りした後に、巻戻しを行うことを特徴とする請求項１記載の磁気記録再生装置。
【請求項３】
前記モード移行手段により第１の巻取モードに移行させ、前記テープ駆動手段で終端まで早送りする際に、カウンタの動作を停止させて終端まで早送りすることを特徴とする請求項２記載の磁気記録再生装置。
【請求項４】
前記テープ駆動手段による前記磁気テープの走行速度は、前記第１の巻取モード時より前記第２の巻取モード時の方を大とすることを特徴とする請求項１記載の磁気記録再生装置。
【発明の詳細な説明】
【０００１】
【発明の属する技術分野】
本発明は、カセットに内蔵された磁気テープを引き出して回転ヘッドシリンダに搭載された磁気ヘッドに当接及び走行させて信号を記録または再生するビデオテープレコーダ等の磁気記録再生装置に関するものである。
【０００２】
【従来の技術】
近年、記録再生媒体としては、アクセス速度の有利なディスクが広く用いられる様になって来ている。これに対して、アクセス速度の不利な磁気テープについては、モータの回転速度を高速にすることにより、磁気テープの巻取走行速度を高速にして早送り／巻戻し時間を短縮して使いやすさを改善することが求められている。なお、一般にビデオテープレコーダ等の磁気記録再生装置の巻戻し時間の性能値として、磁気テープ終端での停止状態において、巻戻し指令を入力した時点から巻戻しを行い、磁気テープ始端で停止するまでの時間を用いている。
【０００３】
以下に従来の磁気記録再生装置について説明する。
【０００４】
図６は、従来の磁気記録再生装置における早送り動作で磁気テープの終端に達する時の動作を示すフローチャートである。図６において、１は磁気テープの早送りを行うステップ、２は磁気テープの終端の検出を行うステップ、４は磁気テープの動きを停止するステップである。
【０００５】
ここで説明する磁気記録再生装置には、磁気テープの巻戻しをするメカニズムの動作モードとして、磁気テープの走行経路の違う第１の巻取モードと第２の巻取モードの２つのモードが設定されている。第１の巻取モードは、カセットから磁気テープを引き出し、磁気ヘッドが搭載された回転ヘッドドラムに磁気テープを巻き付けた動作状態であり、また、コントロールヘッドに磁気テープが当接された動作状態である。この第１の巻取モードは、コントロールヘッドで検出されたコントロール信号を用いて、回転ヘッドドラムと磁気テープで記録再生する信号の位相を合わせる場合や磁気テープの位置をカウンタ表示する場合に用いられ、主に低速での巻戻しに用いる。第２の巻取モードは、磁気テープを回転ヘッドドラムに巻き付けない動作状態であり、また、コントロールヘッドに磁気テープが当接しない動作状態である。この第２の巻取モードでは、磁気テープに対する回転ヘッドドラムやコントロールヘッドよる走行負荷を小さくすることで、高速で巻戻しできることが特徴である。図６では、第１の巻取モードで早送りして磁気テープの終端に達する時の動作を示している。
【０００６】
以下、図６を用いて、第１の巻取モードで早送りを開始して磁気テープの終端に達した時の動作について説明する。まず、ステップ１で第１の巻取モードで早送り動作が開始されると、ステップ２で磁気テープ終端のリーダテープを検出するまで第１の巻取モードで早送り動作が行われ、磁気テープ終端のリーダテープが検出されるとステップ４に進んで、磁気テープの早送りを停止し、第１の巻取モードのままで磁気テープの走行を停止した状態になる。
【０００７】
【発明が解決しようとする課題】
しかしながら上記の従来の構成では、磁気記録再生装置の巻戻し時間の性能値として高速巻戻し用の第２の巻取モードで磁気テープの終端から始端まで巻戻しする時間を用いる場合、巻戻し時間は、第１の巻取モードで磁気テープの終端まで早送りして停止した状態において、第２の巻取モードでの巻戻し指令を入力した時点から、第１の巻取モードから第２の巻取モードにメカニズムのモード移行して、巻戻し動作を行い、磁気テープの始端で停止するまでの時間になるため、第１の巻取モードから第２の巻取モードへの移行に要する時間の分だけ、実際に第２の巻取モードで磁気テープを巻戻す時間より長くなり、性能値としての巻戻し時間の短縮化を妨げるという問題点を有していた。
【０００８】
本発明は上記従来の問題点を解決するもので、第２の巻取モードでの磁気テープの終端から始端までの巻戻し動作において、第１の巻取モードから第２の巻取モードへのモード移行に要する時間をなくし、巻戻し時間を短縮することができる磁気記録再生装置を提供することを目的とする。
【０００９】
【課題を解決するための手段】
この目的を達成するために本発明の磁気記録再生装置は、回転ヘッドシリンダに磁気テープを巻き付けた状態の第１の巻取モードと、磁気テープを巻き付けない状態の第２の巻取モードとの２つのメカニズムの動作モードを有し、第１または第２の巻取モードいずれかの動作状態にメカニズムを移行させるモード移行手段と、第１または第２の巻取モードのいずれかの状態で磁気テープの早送りまたは巻戻しを行うテープ駆動手段と、磁気テープの終端を検出する終端検出手段とを備え、モード移行手段は、第１の巻取モードによる早送り動作の際に、終端検出手段からの終端検出に基づき、メカニズムの動作モードを第２の巻取モードに移行させた後に早送り動作を停止させる構成を有する。
【００１０】
この構成によって、第２の巻取モードでの磁気テープの終端から始端までの巻戻しにおいて、第１の巻取モードから第２の巻取モードへのモード移行に要する時間をなくし、巻戻し時間を短縮することができる。
【００１１】
【発明の実施の形態】
本発明の請求項１に記載の発明は、回転ヘッドシリンダに磁気テープを巻き付けた状態の第１の巻取モードと、磁気テープを巻き付けない状態の第２の巻取モードとの２つのメカニズムの動作モードを有する磁気記録再生装置であって、前記第１の巻取モードまたは前記第２の巻取モードのいずれかの動作状態にメカニズムを移行させるモード移行手段と、前記第１の巻取モードまたは前記第２の巻取モードのいずれかの状態で前記磁気テープの早送りまたは巻戻しを行うテープ駆動手段と、前記磁気テープの終端を検出する終端検出手段とを備え、前記モード移行手段は、前記第１の巻取モードによる早送り動作の際に、前記終端検出手段からの終端検出に基づき、メカニズムの動作モードを第２の巻取モードに移行させた後に早送り動作を停止させるものである。
【００１２】
これにより、第２の巻取モードでの磁気テープの終端から始端までの巻戻しは、第２の巻取モードでの停止状態から第２の巻取モードでの巻戻し指令が入力されて巻戻しが行われて磁気テープの始端に達して停止するという動作になり、第１の巻取モードから第２の巻取モードへのモード移行に要する時間は不要となるため、巻戻し時間を短縮することができるという作用を有する。
【００１３】
また、本発明の請求項２に記載の発明は、上記請求項１に係る発明において、前記第２の巻取モードでの停止状態からの前記第１の巻取モードによる巻戻し動作の際に、前記モード移行手段により第１の巻取モードに移行させ、前記テープ駆動手段で終端まで早送りした後に、巻戻しを行うことを特徴とするものである。
【００１４】
また、本発明の請求項３に記載の発明は、上記請求項２に係る発明において、前記モード移行手段により第１の巻取モードに移行させ、前記テープ駆動手段で終端まで早送りする際に、カウンタの動作を停止させて終端まで早送りすることを特徴とするものである。
【００１５】
これらにより、第１の巻取モードで早送りをして磁気テープ終端に達して第２の巻取モードへモード移行して停止した状態から第１の巻取モードで巻戻しを行う時、まず第１の巻取モードにモード移行して、一旦磁気テープの終端までカウンタ表示を動かさずに磁気テープを送り、その後、巻戻しを行うという動作にすることにより、第１の巻取モードから第２の巻取モードへのモード移行中に磁気テープが動くことによって引き起こされる、巻戻し時の磁気テープの位置とカウンタ表示値とのズレを無くすことができるという作用を有する。
【００１６】
また、本発明の請求項４に記載の発明は、上記請求項１に係る発明において、前記テープ駆動手段による前記磁気テープの走行速度は、前記第１の巻取モード時より前記第２の巻取モード時の方を大とすることを特徴とするものである。
【００１７】
これにより、上記各発明の作用効果に加え、磁気テープの走行負荷が軽減され、早送り／巻戻し速度を重視することができる第２の巻取モードを効果的に利用することができる。
【００１８】
以下、本発明の実施の形態について、図面を用いて説明する。
【００１９】
（実施の形態１）
図１は、本発明の実施の形態１における磁気記録再生装置の動作を示すフローチャートであり、同図において従来と同一のステップには同一符号を付与し説明を省略する。図１において、３はメカニズムの動作モードを第１の巻取モードから第２の巻取モードへ移行するステップである。
【００２０】
図２は本発明の実施の形態１における磁気記録再生装置の構成を示すブロック図である。図２において、５は磁気テープ１６に映像および音声信号の記録再生を行う回転ヘッドドラム、６は磁気テープ１６で記録再生する信号の位相を合わせるため、及び磁気テープ１６の位置をカウンタ表示するために用いられるコントロール信号を磁気テープ１６に記録／検出を行うコントロールヘッド、７は磁気テープ１６をカセット１９から引き出して磁気テープ１６の走行時に磁気テープ１６の高さ方向の規制をするテープガイド、８はテープガイド７を動かしてメカニズムの動作モードを移行させるモード移行手段で、例えばモータと歯車とスライド部材により構成される。２０は早送りや巻戻しの操作を行う操作手段、９はテープ駆動手段としてのキャプスタンモータ、１０は操作手段２０からの操作指示に基づきキャプスタンモータ９の回転数を制御するキャプスタンモータ制御手段、１１は磁気テープ１６の一端が巻かれたカセット１９内の巻取側リールハブを拘持してキャプスタンモータ９の回転がベルトや歯車により伝達され回転することで磁気テープ１６を走行させる巻取側リール、１２は磁気テープ１６の他端が巻かれたカセット１９内の供給側リールハブを拘持して巻取側リール１１の回転により磁気テープ１６が走行する時に巻取側リール１１に磁気テープ１６を供給する供給側リール、１３は磁気テープ１６の終端の透明なリーダテープを検出する終端検出手段で、例えばＬＥＤ発光部とＬＥＤ受光部により構成される。
【００２１】
また、本実施の形態の磁気記録再生装置では、磁気テープ１６を巻戻しするメカニズムのモードとして、磁気テープ１６の走行経路の違う第１の巻取モードと第２の巻取モードの２つが設定されている。図３は、第１の巻取モードでの本実施の形態１による磁気記録再生装置の平面図、図４は、第２の巻取モードでの平面図である。図３、図４において、１４はメカニズムのシャーシ、１５は磁気テープに記録された映像及び音声信号を消去する消去ヘッド、１６は磁気テープ、１７は終端検出手段１３として用いるＬＥＤ受光部、１８は終端検出手段１３として用いるＬＥＤ発光部、１９はカセットである。第１の巻取モードは、磁気テープ１６をテープガイド７によりカセット１９から引き出して、回転ヘッドドラム５に巻き付けるとともコントロールヘッド６に当接させた位置で巻戻しを行うモードであり、巻戻し中に磁気テープ１６からコントロール信号を検出して磁気テープ１６の位置をカウンタ表示で確認できることが特徴であり、主に低速での巻戻しに用いる。第２の巻取モードは、磁気テープ１６をカセット１９から引き出さない位置で巻戻しを行うモードであり、回転ヘッドドラム５やコントロールヘッド６に接触しないで走行するため走行負荷が小さく高速で巻戻しできることが特徴である。
【００２２】
以上のように構成された磁気記録再生装置について、第１の巻取モードで早送りして磁気テープ１６の終端に達した時の動作を説明する。まず、ステップ１では、図３に示す第１の巻取モードでキャプスタンモータ９が、キャプスタンモータ制御手段１０で制御されながら回転し、キャプスタンモータ９の回転は、ベルトや歯車（図示せず）により巻取側リール１１に伝達され、巻取側リール１１は回転して、磁気テープ１６を供給側リール１２から巻取る。次に、ステップ２では、終端検出手段１３で、磁気テープ１６の終端の透明なリーダテープの検出を行い、ＬＥＤ受光部１７でＬＥＤ発光部１８のＬＥＤ光が検出されると、一旦キャプスタンモータ９は停止して、それに伴い巻取側リール１１と供給側リール１２の回転も停止して磁気テープ１６は停止する。その後、ステップ３で、モード移行手段８により、メカニズムの動作モードが第１の巻取モードから図４に示す第２の巻取モードに移行され、テープガイド７は第２の巻取モードの位置に移動する。モード移行中は、キャプスタンモータ９を回転して巻取側リール１１を回転させ、第１の巻取モードと第２の巻取モードとの磁気テープ走行経路の長さの差の分の磁気テープ１６を巻取り、磁気テープ１６のたるみを防ぐ。メカニズムの動作モードが第２の巻取モードに達すると、ステップ４で再度キャプスタンモータ９の回転は停止して磁気テープ１６の走行は停止する。
【００２３】
そして、この様な状態で、操作手段２０から高速の巻戻し指令が発せられた場合は、メカニズムの動作モードを移行することなく、キャプスタンモータ制御手段１０によりキャプスタンモータ９を制御して、高速の巻戻しを行う。
【００２４】
以上のように本実施の形態によれば、第１の巻取モードで早送りして磁気テープ１６の終端に達した時、第２の巻取モードにメカニズムの動作モードを移行した後に停止することにより、第２の巻取モードでの磁気テープ１６の終端から始端までの巻戻し時は、第１の巻取モードから第２の巻取モードへモード移行する必要はなく、モード移行に要する時間は不要となるため、巻戻し時間を短縮することができる。
【００２５】
なお、上記実施の形態では、例えば、第１の巻取モードでの磁気テープ１６の走行速度を８ｍ／ｓ、第２の巻取モードでの磁気テープ１６の走行速度を１０ｍ／ｓとするが、（第１の巻取モードでの磁気テープの走行速度）＜（第２の巻取モードでの磁気テープの走行速度）の関係を満足すれば、この限りでない。
【００２６】
（実施の形態２）
図５は、本発明の実施の形態２における磁気記録再生装置の第１の巻取モードで早送りにより磁気テープの終端に達して停止した後、第１の巻取モードで巻戻しをする時の動作を示すフローチャートであり、同図において従来と同一のステップには同一符号を付与し説明を省略する。
【００２７】
図５において、３はメカニズムの動作モードを第１の巻取モードから第２の巻取モードへ移行するステップ、２１は巻戻し指令を検出するステップ、２２は巻戻し命令が第１の巻取モードによるものか第２の巻取モードによるものかを判断するステップ、２３は巻戻し命令が第１の巻取モードによる場合にメカニズムの動作モードを第２の巻取モードから第１の巻取モードに移行するステップ、２４は第１の巻取モードでカウンタ表示を進めずに磁気テープの早送りを行うステップ、２５は磁気テープの終端の透明のリーダテープからテープ終端を検出するステップ、２６は第１の巻取モードで巻戻しを行うステップ、２７は巻戻し命令が第２の巻取モードによる場合に第２の巻取モードで（モード移行せずに）磁気テープの早送りを行うステップ、２８は磁気テープの始端の透明のリーダテープからテープ始端を検出するステップ、２９は磁気テープの始端が検出された場合に巻戻し動作を停止するステップである。
【００２８】
なお、本実施の形態における磁気記録再生装置の構成は、図２に示した実施の形態１における磁気記録再生装置と同じであり、その説明は省略する。また、本実施の形態においても実施の形態１と同様に、磁気テープ１６の巻戻しをするメカニズムの動作モードとして、磁気テープ１６の走行経路の違う第１の巻取モードと第２の巻取モードの２つが設定されており、第１の巻取モードの平面図と第２の巻取モードの平面図は、実施の形態１で示した図３、図４と同じであり、その説明は省略する。
【００２９】
以上のように構成された磁気記録再生装置について、第１の巻取モードでの早送りにより磁気テープ１６の終端に達して停止した後、第１の巻取モードで巻戻しをする時の動作を説明する。
【００３０】
まず、ステップ１では、キャプスタンモータ９は、キャプスタンモータ制御手段１０で制御されながら回転し、キャプスタンモータ９の回転は、ベルトや歯車により巻取側リール１１に伝達され、巻取側リール１１は回転して、磁気テープ１６を供給側リール１２から巻取る。早送り中、磁気テープ１６はコントロールヘッド６に当接して走行しており磁気テープ１６の位置を示すカウンタ表示は進む。次に、ステップ２では、終端検出手段１３で、磁気テープ１６の終端のリーダテープの検出を行い、ＬＥＤ受光部１７でＬＥＤ発光部１８のＬＥＤ光が検出されると、一旦キャプスタンモータ９は停止して、それに伴い巻取側リール１１と供給側リール１２の回転も停止して磁気テープ１６は停止する。その後、ステップ３で、モード移行手段８により、メカニズムの動作モードは第１の巻取モードから第２の巻取モードに移行され、テープガイド７は第２の巻取モードの位置に移動する。モード移行中は、キャプスタンモータ９が回転して巻取側リール１１を回転させ、第１の巻取モードと第２の巻取モードとの磁気テープ走行経路の長さの差の分の磁気テープ１６を巻取り、磁気テープ１６のたるみを防ぐ。第１の巻取モードから第２の巻取モードへのモード移行中および第２の巻取モードでは、磁気テープ１６はコントロールヘッド６に接しないため、コントロール信号を検出できず、カウンタを進めることはできない。ステップ４では、メカニズムのモードが第２の巻取モードに達するとキャプスタンモータ９は回転を停止して磁気テープ１６の走行を停止する。
【００３１】
次にステップ２１及び２２で操作手段２０からの第１の巻取モードでの巻戻し指令が検出されると、ステップ２３で第２の巻取モードから第１の巻取モードにメカニズムのモード移行を行う。その後、ステップ２４では第１の巻取モードで早送りを行う。ただし、この早送り中はカウンタ表示を進めない。この動作により、モード移行によって発生した磁気テープ１６の位置とカウンタ表示値とのズレがなくなる。そして、ステップ２５で磁気テープ１６の終端が検出されるまで早送りが行われる。ステップ２５で磁気テープ１６の終端が検出されるとステップ２６に進み、第１の巻取モードで巻戻しを行う。ステップ２６による巻戻し動作では、コントロール信号によりカウンタ表示値を戻すが、磁気テープ１６の位置とカウンタ表示値のズレは既に無くなっているので、正しくカウント表示することができる。そして、ステップ２８で、磁気テープ１６の始端が検出された際には、ステップ２９に移り、巻戻し動作を停止する。
【００３２】
なお、ステップ２１，２２において、操作手段２０からの巻戻し指令が第２の巻取りモードによる高速巻戻しの場合は、ステップ２２からステップ２７に移り、メカニズムのモード移行を行うことなく巻戻し動作を開始し、ステップ２８で磁気テープ１６の始端が検出された際に、ステップ２９に移行して巻戻し動作を停止する。
【００３３】
以上のように本実施の形態によれば、第１の巻取モードで早送りをしてテープ終端に達して第２の巻取モードへモード移行して停止した状態から第１の巻取モードで巻戻しを行う時、まず第１の巻取モードにモード移行して、一旦、磁気テープ１６の終端までカウンタ表示を動かさずに磁気テープ１６を送り、その後、巻戻しを行うという動作にすることにより、第１の巻取モードから第２の巻取モードへのモード移行により発生する第１の巻取モードでの巻戻し時の磁気テープ１６の位置とカウンタ表示値とのズレを無くすことができる。
【００３４】
なお、本発明は上記した実施の形態に限定されるものではなく、同様の趣旨において変形が可能である。
【００３５】
【発明の効果】
以上のように本発明によれば、低速巻戻し用の第１の巻取モードと、高速巻戻し用の第２の巻取モードとのメカニズムの状態が異なる２つの巻戻しモードを持つ磁気記録再生装置において、第１の巻取モードにおいて磁気テープ終端まで早送りを行った際には、第２の巻取モードにメカニズムの動作モードを移行した後に停止するので、第２の巻取モードで磁気テープの終端から始端までの巻戻しをする際に、第１の巻取モードから第２の巻取モードへのモード移行に要する時間をなくし、巻戻し時間を短縮することができるという優れた効果が得られる。
【００３６】
また、第２の巻取モードの停止状態から第１の巻取モードでの巻戻しを行う際には、第１の巻取モードに移行した後にカウンタを止めて磁気テープ終端まで早送りした後に、巻戻し動作に移行するので、メカニズムの動作モード変更によるカウンタ表示のずれをなくすことができる。
【図面の簡単な説明】
【図１】本発明の実施の形態１による磁気記録再生装置の動作を示すフローチャート
【図２】同磁気記録再生装置の構成を示すブロック図
【図３】同磁気記録再生装置の第１の巻取モードでの平面図
【図４】同磁気記録再生装置の第２の巻取モードでの平面図
【図５】本発明の実施の形態２における磁気記録再生装置の動作を示すフローチャート
【図６】従来の磁気記録再生装置の動作を示すフローチャート
【符号の説明】
５　回転ヘッドドラム
６　コントロールヘッド
７　テープガイド
８　モード移行手段
９　キャプスタンモータ
１０　キャプスタンモータ制御手段
１１　巻取側リール
１２　供給側リール
１３　終端検出手段
１６　磁気テープ
１９　カセット
２０　操作手段
【図１】
2004014040.tif 000003
【図２】
2004014040.tif 000004
【図３】
2004014040.tif 000005
【図４】
2004014040.tif 000006
【図５】
2004014040.tif 000007
【図６】
2004014040.tif 000008